(57)【特許請求の範囲】
【請求項１】
入力画像に、該入力画像中におけるデジタルズームの対象となる領域を示す第１の枠と、前記入力画像中で拡大の対象となる領域を示す第２の枠を重畳表示し、
前記第１の枠及び前記第２の枠を重畳表示している状態で、前記拡大の対象となる領域を指定するための指示を受け付け、
前記拡大の対象となる領域を指定するための指示を受け付けると、前記入力画像中の前記拡大の対象となる領域を拡大画像として表示し、
前記拡大画像を表示している状態で、前記デジタルズームの対象となる領域と前記拡大の対象となる領域との位置関係を表すインジケータを表示するように制御する
表示制御装置。
【請求項２】
前記インジケータは、前記第１の枠に対応する第１の小枠と、前記第２の枠に対応する第２の小枠とから構成されている
請求項１に記載の表示制御装置。
【請求項３】
前記入力画像を縮小した縮小画像を生成し、前記拡大画像に前記縮小画像を重畳表示し、さらに前記縮小画像に前記インジケータを重畳表示するように制御する
請求項１に記載の表示制御装置。
【請求項４】
前記拡大画像を表示した状態で、前記デジタルズームの対象となる領域を指定するための指示を受け付ける
請求項１に記載の表示制御装置。
【請求項５】
前記第１の枠と前記第２の枠を重畳表示している状態で、前記デジタルズームの対象となる領域を指定するための指示を受け付ける
請求項１に記載の表示制御装置。
【請求項６】
前記デジタルズームした画像を表示している状態で、前記拡大をするための指示を検出すると、前記第１の枠及び前記第２の枠を重畳表示するように制御する
請求項１に記載の表示制御装置。
【請求項７】
前記拡大は、フォーカス確認のための拡大である
請求項１に記載の表示制御装置。
【請求項８】
被写体を撮像する撮像部をさらに有する
請求項１に記載の表示制御装置。
【請求項９】
入力画像に、該入力画像中におけるデジタルズームの対象となる領域を示す第１の枠と、前記入力画像中で拡大の対象となる領域を示す第２の枠を重畳表示し、
前記第１の枠及び前記第２の枠を重畳表示している状態で、前記拡大の対象となる領域を指定するための指示を受け付け、
前記拡大の対象となる領域を指定するための指示を受け付けると、前記入力画像中の前記拡大の対象となる領域を拡大画像として表示し、
前記拡大画像を表示している状態で、前記デジタルズームの対象となる領域と前記拡大の対象となる領域との位置関係を表すインジケータを表示するように制御する
表示制御方法。
【請求項１０】
入力画像に、該入力画像中におけるデジタルズームの対象となる領域を示す第１の枠と、前記入力画像中で拡大の対象となる領域を示す第２の枠を重畳表示し、
前記第１の枠及び前記第２の枠を重畳表示している状態で、前記拡大の対象となる領域を指定するための指示を受け付け、
前記拡大の対象となる領域を指定するための指示を受け付けると、前記入力画像中の前記拡大の対象となる領域を拡大画像として表示し、
前記拡大画像を表示している状態で、前記デジタルズームの対象となる領域と前記拡大の対象となる領域との位置関係を表すインジケータを表示するように制御する
表示制御方法をコンピュータに実行させる表示制御プログラムが記録されたコンピュータにより読み取り可能な記録媒体。
【発明の詳細な説明】
【技術分野】
【０００１】
本技術は、表示制御装置、表示制御方法および記録媒体に関する。
【背景技術】
【０００２】
撮像装置においては、デジタルズーム時には撮像可能な領域をパネルなどの表示デバイス上にスルー画として表示し、デジタルズームする領域以外の非撮像領域はパネル上には表示しないのが通常である。したがって、デジタルズーム時には、非撮像領域の状況はパネルを通じては把握することができない。
【０００３】
一方、ピントを調整するために焦点位置が最適に表示可能な固定の倍率で表示するモードでは、デジタルズームの倍率に関係なく、指定された表示位置が固定倍率で拡大表示される。
【０００４】
そこで、撮像可能領域とデジタルズーム領域の相対関係をスルー画上に表示する枠によって表現する技術が提案されている（特許文献１）。
【０００５】
一方、非デジタルズーム時にどの領域がピント拡大されるかを表現する技術も提案されている（特許文献２）。
【先行技術文献】
【特許文献】
【０００６】
【特許文献１】特開２０１１−２２９１７２号公報
【特許文献２】特許第３５３４１０１号公報
【発明の概要】
【発明が解決しようとする課題】
【０００７】
特許文献１に記載の技術では、撮像可能領域とデジタルズーム領域の相対関係はスルー画上に枠を表示することにより表現できているが、一部拡大を行う際にどの領域が拡大されるかは表現することができていない。
【０００８】
また、特許文献２に記載の技術では非デジタルズーム時にどの領域が一部拡大されるかについては表現できているが、デジタルズーム時に撮像可能な領域と一部拡大される領域の位置関係については表現できていない。
【０００９】
本技術は、このような点に鑑みてなされたものであり、デジタルズームで拡大される領域と、一部拡大される領域との関係を明示的に表現することができる表示制御装置、表示制御方法および記録媒体を提供することを目的とする。
【課題を解決するための手段】
【００１０】
上述した課題を解決するために、第１の技術は、入力画像に、該入力画像中におけるデジタルズームの対象となる領域を示す第１の枠と、入力画像中で拡大の対象となる領域を示す第２の枠を重畳表示し、第１の枠及び第２の枠を重畳表示している状態で、拡大の対象となる領域を指定するための指示を受け付け、拡大の対象となる領域を指定するための指示を受け付けると、入力画像中の拡大の対象となる領域を拡大画像として表示し、拡大画像を表示している状態で、デジタルズームの対象となる領域と拡大の対象となる領域との位置関係を表すインジケータを表示するように制御する表示制御装置である。
【００１１】
また、第２の技術は、入力画像に、該入力画像中におけるデジタルズームの対象となる領域を示す第１の枠と、入力画像中で拡大の対象となる領域を示す第２の枠を重畳表示し、第１の枠及び第２の枠を重畳表示している状態で、拡大の対象となる領域を指定するための指示を受け付け、拡大の対象となる領域を指定するための指示を受け付けると、入力画像中の拡大の対象となる領域を拡大画像として表示し、拡大画像を表示している状態で、デジタルズームの対象となる領域と拡大の対象となる領域との位置関係を表すインジケータを表示するように制御する表示制御方法である。
【００１２】
また、第３の技術は、入力画像に、該入力画像中におけるデジタルズームの対象となる領域を示す第１の枠と、入力画像中で拡大の対象となる領域を示す第２の枠を重畳表示し、第１の枠及び第２の枠を重畳表示している状態で、拡大の対象となる領域を指定するための指示を受け付け、拡大の対象となる領域を指定するための指示を受け付けると、入力画像中の拡大の対象となる領域を拡大画像として表示し、拡大画像を表示している状態で、デジタルズームの対象となる領域と拡大の対象となる領域との位置関係を表すインジケータを表示するように制御する表示制御方法をコンピュータに実行させる表示制御プログラムが記録されたコンピュータにより読み取り可能な記録媒体である。
【発明の効果】
【００１３】
本技術によれば、デジタルズームで拡大される領域と一部拡大される領域との関係を明確に表現することができる。
【図面の簡単な説明】
【００１４】
【図１】図１は、本技術の第１の実施の形態に係る表示制御装置の構成を示すブロック図である。
【図２】図２は、表示制御装置を備える撮像装置の構成を示すブロック図である。
【図３】図３は、表示制御装置によって行われる表示制御処理の流れを示すフローチャートである。
【図４】図４Ａは、表示制御の第１の具体例における非デジタルズーム表示画面であり、図４Ｂはデジタルズーム表示画面であり、図４Ｃは拡大領域指定画面であり、図４Ｄは拡大表示画面である。
【図５】図５Ａは、表示制御の第２の具体例における非デジタルズーム表示画面であり、図５Ｂはデジタルズーム表示画面であり、図５Ｃは拡大領域指定画面であり、図５Ｄは拡大表示画面である。
【図６】図６は、本技術の第２の実施の形態に係る表示制御装置によって行われる表示制御処理の流れを示すフローチャートである。
【図７】図７Ａは、第２の実施の形態に係る表示制御の具体例の非デジタルズーム表示画面であり、図７Ｂはデジタルズーム表示画面であり、図７Ｃは拡大領域指定画面であり、図７Ｄは拡大表示画面である。
【図８】図８Ａは、拡大表示画面であり、図８Ｂは拡大表示画面のインジケータが変化した状態を示すものである。
【図９】図９Ａは、拡大表示画面であり、図９Ｂは拡大領域が移動した状態の拡大表示画面を示すものである。
【発明を実施するための形態】
【００１５】
以下、本技術の実施の形態について図面を参照しながら説明する。ただし、本技術は以下の実施の形態のみに限定されるものではない。なお、説明は以下の順序で行う。
＜１．第１の実施の形態＞
［１−１．表示制御装置の構成］
［１−２．表示制御装置の機能を備える撮像装置の構成］
［１−３．表示制御処理］
＜２．第２の実施の形態＞
［２−１．表示制御処理］
＜３．変形例＞
【００１６】
＜１．第１の実施の形態＞
［１−１．表示制御装置の構成］
図１は、本技術に係る表示制御装置１の構成を示すブロック図である。表示制御装置１は、例えば、デジタルスチルカメラ、デジタルビデオカメラなどの撮像装置、カメラ機能を備えるスマートフォン、携帯電話機、携帯ゲーム機などの電子機器に搭載され、画像、映像を撮像する際に用いられる。
【００１７】
表示制御装置１は、例えば、ＣＰＵ（Central Processing Unit）、ＲＡＭ（Random Access Memory）およびＲＯＭ（Read Only Memory）などにより所定のプログラムが実行されることなどにより実現される。ＲＯＭには、ＣＰＵにより読み込まれ動作されるプログラムなどが記憶されている。ＲＡＭはＣＰＵのワークメモリとして用いられる。ＣＰＵはＲＯＭに記憶されたプログラムに従い様々な処理を実行してコマンドの発行を行うことによって表示制御装置として機能を実行する。
【００１８】
ただし、表示制御装置１は、プログラムによって実現されるのみでなく、表示制御装置の機能を有するハードウェアにより専用の装置として実現されてもよい。
【００１９】
表示制御装置１は、外部の表示部２に接続されており、表示部２における表示の制御を行うものである。表示制御装置１には表示部２において表示される画像データが外部から入力される。表示制御装置１による表示制御の詳細は後述する。表示部２は、例えば、撮像装置において、スルー画、撮像済の画像または動画、各種設定画面などを表示する表示手段である。表示部２としては例えば、ＬＣＤ（Liquid Crystal Display）、ＰＤＰ(Plasma Display Panel)、有機ＥＬ(Electro Luminescence)パネルなどがある。
【００２０】
また、表示制御装置１は外部の入力部３に接続されている。入力部３は、例えば、撮像装置に設けられた、撮像画像の記録の開始を指示するためのレリーズボタン、ズーム調整用の操作子、表示部と一体に構成されたタッチスクリーン、その他各種ボタンなどである。入力部３に対して入力がなされると、その入力に応じた制御信号が生成されて表示制御装置に出力される。そして、表示制御装置１はその制御信号に対応した表示制御を行う。このようにして、表示制御装置１は入力部３を介して各種入力を受け付ける。
【００２１】
［１−２．表示制御装置の機能を備える撮像装置の構成］
以下、上述した表示制御装置１の機能を備える撮像装置１０の構成の一例について説明する。図２は撮像装置１０の全体構成を示すブロック図である。
【００２２】
撮像装置１０は、光学撮像系１１、撮像素子１２、タイミングジェネレータ１３、前処理回路１４、カメラ処理回路１５、画像メモリ１６、制御部１７、表示部１８、入力部１９、Ｒ／Ｗ（リーダ／ライタ）２０および記憶媒体２１から構成されている。これらのうち、光学撮像系１１、タイミングジェネレータ１３、前処理回路１４、カメラ処理回路１５、画像メモリ１６、入力部１９およびＲ／Ｗ２０は制御部１７に接続されている。また、制御部１７は所定のプログラムを実行することによりデジタルズーム処理部２２、表示制御部２３として機能する。表示制御部２３は図１における表示制御装置１に相当するものである。また、表示部１８は図１における表示部２に相当し、入力部１９は図１における入力部３に相当するものである。
【００２３】
光学撮像系１１は、被写体からの光を撮像素子１２に集光するためのレンズ、レンズを移動させてピント合わせやズーミングを行うための駆動機構、シャッター機構、アイリス機構などから構成されている。これらは制御部１７からの制御信号に基づいて駆動する。光学撮像系１１を介して得られた被写体の光画像は、撮像デバイスとしての撮像素子１２上に結像される。
【００２４】
撮像素子１２は、タイミングジェネレータ１３から出力されるタイミング信号に基づいて駆動され、被写体からの入射光を光電変換して電荷量に変換し、アナログ撮像信号として出力する。撮像素子１２から出力されるアナログ撮像信号は前処理回路１４に出力される。撮像素子１２としては、ＣＣＤ（Charge Coupled Device）、ＣＭＯＳ（Complementary Metal Oxide Semiconductor）などが用いられる。タイミングジェネレータ１３は、制御部１７の制御に従い撮像素子１２に対してタイミング信号を出力する。
【００２５】
前処理回路１４は、撮像素子１２から出力されたアナログ撮像信号に対して、ＣＤＳ（Correlated Double Sampling）処理によりＳ／Ｎ（Signal／Noise）比を良好に保つようにサンプルホールドなどを行う。さらに、ＡＧＣ（Auto Gain Control）処理により利得を制御し、Ａ／Ｄ（Analog/Digital）変換を行ってデジタル画像信号を出力する。
【００２６】
カメラ処理回路１５は、前処理回路１４からの画像信号に対して、ホワイトバランス調整処理や色補正処理、ガンマ補正処理、Ｙ／Ｃ変換処理、ＡＥ（Auto Exposure）処理などの信号処理を施す。
【００２７】
画像メモリ１６は、揮発性メモリ、例えば、ＤＲＡＭ（Dynamic Random Access Memory）で構成されるバッファメモリであり、前処理回路１４およびカメラ処理回路１５によって所定の処理が施された画像データを一時的に蓄えておくものである。
【００２８】
制御部１７は、例えばＣＰＵ、ＲＡＭおよびＲＯＭなどから構成されている。ＲＯＭには、ＣＰＵにより読み込まれて動作されるプログラムなどが記憶されている。ＲＡＭは、ＣＰＵのワークメモリとして用いられる。ＣＰＵは、ＲＯＭに記憶されたプログラムに従い様々な処理を実行してコマンドの発行を行うことによって撮像装置１０全体の制御を行う。また、制御部１７は所定のプログラムを実行することにより、デジタルズーム処理部２２、表示制御部２３として機能する。
【００２９】
制御部１７は、ユーザから入力部２０に対してピント合わせの操作入力がなされた場合には、光学撮像系１１に制御信号を送信し、駆動機構を動作させてピント合わせを行う。
【００３０】
デジタルズーム処理部２２は、撮像素子１２により取得され、カメラ処理回路１５などにより所定の処理が施された画像においてユーザにより指定された領域を拡大する処理を行うものである。なお、デジタルズームとは光学的に取得された画像の一部をデジタル処理により切り出して拡大する機能である。デジタルズームされた画像は、表示部においてスルー画として表示可能である。また、デジタルズームした状態でユーザによりレリーズ操作がなされた場合にはデジタルズームされた状態の画像が撮像済の画像として保存される。
【００３１】
表示制御部２３は図１を参照して説明したように、表示部１８における表示制御を行うものである。表示制御部２３には、撮像素子１２により取得され、カメラ処理回路１５などにより所定の処理が施された画像が入力画像データとして入力される。
【００３２】
表示部１８は、例えば、ＬＣＤ、ＰＤＰ、有機ＥＬパネルなどの画像表示手段である。表示部は、制御部１７から供給された画像信号を受け、表示制御部２３の制御のもと、撮像中のスルー画、記憶媒体２１に記録された画像、各種設定画面などを表示する。
【００３３】
入力部１９は、例えば、電源オン／オフ切り替えのための電源ボタン、撮像画像の記録の開始を指示するためのレリーズボタン、ズーム調整用の操作子、表示部１８と一体に構成されたタッチスクリーンなどからなる入力手段である。入力部１９に対して入力がなされると、その入力に応じた制御信号が生成されて制御部１７に出力される。そして、制御部１７はその制御信号に対応した演算処理や制御を行う。
【００３４】
本実施の形態においては、表示制御部２３は入力部１９を介して、デジタルズーム倍率、デジタルズーム領域の指定、拡大領域指定モードへの移行、拡大領域の位置の指定、拡大領域決定などのユーザからの入力を受け付ける。
【００３５】
Ｒ／Ｗ２０には、撮像により生成された画像データなどを記録する記録媒体２２が接続されるインターフェースである。Ｒ／Ｗ２０は、制御部１７から供給されたデータを記憶媒体２１に書き込み、また、記憶媒体２１から読み出したデータを制御部１７に出力する。記憶媒体２１は、例えば、ハードディスク、メモリースティック（ソニー株式会社の登録商標）、ＳＤメモリーカードなどの大容量記憶媒体である。画像は例えばＪＰＥＧなどの規格に基づいて圧縮された状態で保存される。また、保存された画像に関する情報、撮像日時などの付加情報を含むＥＸＩＦ（Exchangeable Image File Format）データもその画像に対応付けられて保存される。
【００３６】
［１−３．表示制御処理］
次に、図３および図４を参照して、表示制御部２３によって行われる処理について説明する。図３は、表示制御部２３によって行われる処理の流れを示すフローチャートである。図４は、表示制御部２３によって行われる表示の具体例を示すものである。なお、表示制御部２３は図２に示した撮像装置１０に搭載され、表示制御部２３による処理がその撮像装置１０において行われる場合を例にして説明を行う。
【００３７】
処理開始の時点で、図４Ａに示されるように、表示部１８にはスルー画として被写体が非デジタルズーム状態（倍率１．０倍）で表示されているものとする。そして、まず、ステップＳ１０１で、入力部１９は、ユーザによるデジタルズームの操作入力を受け付ける。
【００３８】
デジタルズームの操作入力がなされると、デジタルズーム処理部２２によりデジタルズーム処理がなされる。そして、ステップＳ１０２で表示制御部２３は、図４Ｂに示されるように、デジタルズームされた画像をスルー画として表示部１８に表示する。ユーザは、このデジタルズームされた被写体をスルー画上で確認することにより、画角、構図、画像に含めるべき被写体などを決定することができる。
【００３９】
次にステップＳ１０３で、表示制御部２３は入力部１９を介して、ユーザからの拡大領域指定モードへの移行の指示を受け付ける。次にステップＳ１０４で、表示制御部２３は、図４Ｃに示されるように、スルー画の表示を非デジタルズーム状態（倍率１．０倍）にする。さらに、ステップＳ１０５で、図４Ｃにおいて実線の枠で示されるように、デジタルズームの領域を示す枠（以下、デジタルズーム領域枠１１０と称する。）をスルー画として表示されている画像上に重畳表示する。デジタルズーム領域枠１１０は特許請求の範囲における「第１の枠」に相当するものである。
【００４０】
これにより、ユーザは、デジタルズームで拡大される領域の大きさ、位置などを把握しながら同時に、デジタルズームで拡大される領域外の非撮像領域の状況もスルー画を通じて把握することができる。
【００４１】
さらに拡大領域指定モードでは、表示制御部２３はステップＳ１０６で、拡大領域を指定するための枠（以下、拡大領域指定枠１２０と称する。）をスルー画として表示されている画像上に重畳表示する。図４Ｃにおいては、拡大領域指定枠１２０は破線で示されている。拡大領域指定枠１２０は特許請求の範囲における「第２の枠」に相当するものである。
【００４２】
拡大領域指定枠１２０は、入力部１９が受け付けるユーザの操作に応じてデジタルズーム領域枠１１０内で任意の位置に移動可能なものである。
【００４３】
なお、デジタルズーム領域枠１１０と拡大領域指定枠１２０には異なる色を付すなどして視覚的に容易に区別できるようにするとよい。
【００４４】
次にステップＳ１０７で、入力部１９を介してユーザによる拡大領域指定枠１２０の移動の指示を受け付けると、処理はステップＳ１０８に進む（ステップＳ１０７のＹｅｓ）。そして、ステップＳ１０８で、表示制御部２３はその指示内容に応じて拡大領域指定枠１２０を移動させる。
【００４５】
スルー画において、デジタルズーム領域枠１１０外の領域は撮像しても画像に収まらない非撮像領域であり、デジタルズーム領域枠１１０内は画像に収まる撮像領域であり、拡大領域指定枠１２０内が拡大表示される領域である。
【００４６】
次に処理はステップＳ１０９に進む。なお、上述のステップＳ１０７で入力部１９に対してユーザによる拡大領域指定枠１２０の移動の入力がない場合にも同様に処理はステップＳ１０９に進む（ステップＳ１０７のＮｏ）。
【００４７】
次にステップＳ１０９で、入力部１９を介してユーザによる拡大領域の決定を指示する入力を受け付けると、処理はステップＳ１１０に進む（ステップＳ１０９のＹｅｓ）。
【００４８】
次にステップＳ１１０で表示制御部２３は、図４Ｄに示されるように、画像の拡大領域指定枠１２０内の領域をスルー画の大きさまで拡大して表示部１８に表示する。この拡大表示画面は例えば、画像の拡大領域指定枠１２０内をデジタルズームすることにより実現される。
【００４９】
この拡大表示画面では、ユーザが所望する被写体が表示部１８において大きく表示される。この拡大表示画面はユーザの撮像を補助する用途に用いることができる。例えば、拡大表示画面を見ながらピント合わせを行うことにより、ユーザは所望の被写体に正確にピントを合わせることができる。
【００５０】
さらに、拡大表示画面においては、ステップＳ１１１で表示制御部２３は、スルー画の端（図４Ｄにおいては左下）にデジタルズーム領域枠１１０と拡大領域指定枠１２０との位置関係を示すインジケータ１３０を重畳表示する。このインジケータ１３０は、デジタルズーム領域枠１１０に対応する第１の小枠１１１と、拡大領域指定枠１２０に対応する第２の小枠１２１とから構成されている。図４Ｄにおいては、第１の小枠１１１は実線で、第２の小枠１２１は破線で示されている。
【００５１】
第１の小枠１１１と第２の小枠１２１との位置および大きさの関係は、デジタルズーム領域枠１１０と拡大領域指定枠１２０との位置および大きさの関係に対応している。すなわち、第１の小枠１１１と第２の小枠１２１とが小さいサイズで、デジタルズーム領域枠１１０と拡大領域指定枠１２０との関係を示している。
【００５２】
なお、拡大表示画面においても、表示制御部２３は入力部１９を介して拡大領域指定枠１１０の移動の指示を受け付け可能としてもよい。拡大表示画面において、入力部１９が拡大領域の移動の指示を受け付けると、表示制御部２３はスルー画における拡大領域の表示をユーザの入力に応じて移動させる。これにより、拡大表示する領域を変更することができる。
【００５３】
また、拡大表示画面において、入力部１９を介して拡大領域の移動を指示する入力を受け付けた場合、表示制御部２３は、インジケータ１３０における第２の小枠１２１の位置を移動させるとよい。これにより、デジタルズーム領域枠１１０および拡大領域指定枠が表示されていない状態であってもデジタルズーム領域と拡大領域との相対位置関係を容易に把握することが可能となる。なお、インジケータ１３０においては、デジタルズーム領域を示す第１の小枠１１１はその位置が固定されている。
【００５４】
そして、次にステップＳ１１２で、入力部１９を介してユーザから拡大表示終了指示を受け付けると、表示制御部２３による処理は終了となる（ステップＳ１１２のＹｅｓ）。なお、拡大表示終了の指示がなされた場合に、撮像装置１０において撮像が行われ、図４Ｂに示されるデジタルズーム状態の画像が撮像済画像として取得されるようにしてもよい。
【００５５】
なお、拡大表示画面をピント合わせに用いる場合において、ピントが合ったと判断した時点でユーザが撮像装置１０のレリーズ操作を行った場合には、撮像装置１０はそのまま撮像を行うよい。ただし、拡大表示画面において、ピントが合ったと判断した時点でユーザがピント決定を指示する入力を行った場合、一度、図４Ｂに示されるデジタルズーム表示状態に戻り、ユーザがスルー画においてデジタルズームの状態を確認できるようにしてもよい。この場合、ユーザはデジタルズーム状態を確認した後にレリーズ操作を行って撮像を行う。
【００５６】
図５は、表示制御部２３によって行われる表示制御の第２の具体例を示すものである。
【００５７】
図５Ａは、表示部１８において、スルー画として被写体が非デジタルズーム状態（倍率１．０倍）で表示されている状態である。ユーザが入力部１９に対してデジタルズームの操作入力を行うと、表示制御部２３は、図５Ｂに示されるようにデジタルズームされた画像をスルー画として表示部１８に表示する。
【００５８】
次に、入力部１９を介して拡大領域指定モードへの移行の入力指示を受け付けると、表示制御部２３は、図５Ｃに示されるように、スルー画の表示を非デジタルズーム状態（倍率１．０倍）にする。さらに、デジタルズームされている領域を示すデジタルズーム領域枠１１０をスルー画上に重畳表示する。図５Ｃにおいて、デジタルズーム領域枠１１０は実線で示されている。
【００５９】
さらに、拡大領域指定モードでは、表示制御部２３は、拡大領域を指定するための拡大領域指定枠１２０をスルー画上に重畳表示する。図５Ｃにおいて、拡大領域指定枠１２０は破線で示されている。スルー画において、デジタルズーム領域枠１１０外の領域は撮像しても画像に収まらない非撮像領域であり、デジタルズーム領域枠１１０内は撮像済画像に収まる撮像領域であり、拡大領域指定枠１２０内が拡大表示される領域である。
【００６０】
図５に示す例は、図４に示した例に比べて、デジタルズームの倍率が高いため、図５Ｃにおいては、図４Ｃに比べてデジタルズーム領域枠１１０が小さくなっており、デジタルズーム領域枠１１０と拡大領域指定枠１２０の大きさが接近している。
【００６１】
拡大領域指定枠１２０の位置が決定し、ユーザが拡大領域指定枠１２０の位置の決定入力を行うと、表示制御部２３は、図４Ｄに示されるように、決定された拡大領域指定枠１２０内の画像をスルー画の大きさまで拡大して表示する。この拡大表示画面では、ユーザが所望する被写体が表示部１８に大きく表示される。よって、この状態でスルー画を見ながらピント合わせを行うことにより、ユーザは正確に所望の被写体に正確にピントを合わせることができる。なお、この拡大表示画面も拡大領域指定枠１２０の画像をデジタルズームすることにより実現される。
【００６２】
また、拡大表示画面においては、表示制御部２３は、スルー画の端（図５Ｄにおいては左下）にデジタルズーム領域枠１１０と拡大領域指定枠と１２０の位置関係を示すインジケータ１３０を重畳表示する。このインジケータ１３０は、デジタルズーム領域枠１１０を示す第１の小枠１１１と、拡大領域指定枠を示す第２の小枠１２１とから構成されている。第１の小枠１１１は実線で、第２の小枠１２１は破線で示されている。
【００６３】
拡大表示画面においても入力部１９は、拡大領域の移動の指示を受け付けることが可能である。入力部１９が、拡大表示画面において拡大領域の移動の指示を受け付けると、表示制御部２３は、スルー画における拡大領域の表示をユーザの入力に応じて移動させる。これにより、拡大表示する被写体を変更することができる。
【００６４】
また、拡大表示画面におけるユーザにからの拡大領域の移動の指示に応じて、表示制御部２３はインジケータ１３０における第２の小枠１２１を移動させる。これにより、デジタルズーム領域枠１１０および拡大領域指定枠１２０が表示されていない状態であってもデジタルズーム領域と拡大領域との相対位置関係を容易に把握することが可能となる。なお、インジケータ１３０においては、デジタルズーム領域を示す第１の小枠１１１はその位置が固定されている。
【００６５】
図５に示す例においては、図５Ａと図４Ａとを比較してわかるように非デジタルズーム状態（倍率１．０倍）における表示範囲が広くなっている。そして、図５Ｂと図４Ｂとを比較してわかるようにデジタルズーム領域は同程度の大きさである。したがって、図５Ｃおいては図４Ｃに比べて、デジタルズーム領域枠１１０と拡大領域指定枠１２０との大きさが近づいている。
【００６６】
なお、図４Ｃ、図５Ｃに示されるデジタルズーム領域枠１１０および拡大領域指定枠１２０が重畳表示されている状態において、デジタルズーム領域枠１１０の位置、サイズを変更することにより、デジタルズームの対象となる領域を変更できるようにしてもよい。
【００６７】
以上のように、第１の実施の形態においては、画像の拡大を行う際に、デジタルズームされた領域内におけるどこの領域が拡大されるかを容易に把握することができる。また、拡大表示画面においては、デジタルズーム領域と拡大領域との位置関係がインジケータ１３０で表示されるので、いかなるときであってもデジタルズーム領域と拡大領域との相対位置関係を容易に把握することができる。
【００６８】
＜２．第２の実施の形態＞
［２−１．表示制御処理］
次に、本技術の第２の実施の形態について説明する。図６は第２の実施の形態に係る表示制御部２３の処理の流れを示すフローチャートである。また、図７は、表示制御部２３によって行われる表示の具体例を示すものである。なお、表示制御装置の機能を備える撮像１０の構成は、第１の実施の形態と同様であるため、その説明を省略する。
【００６９】
詳しくは後述するが、第２の実施の形態は、拡大表示画面においてもデジタルズームの対象となる領域を変更することが可能な点で第１の実施の形態と異なる。さらに、インジケータ２３０に縮小画像が含まれる点でも第１の実施の形態と異なる。
【００７０】
なお、図６のフローチャートにおいては、ステップＳ１０１乃至ステップＳ１１０までは第１の実施の形態と同様である。
【００７１】
処理開始の時点で、図７Ａに示されるように、表示部にはスルー画として被写体が非デジタルズーム状態（倍率１．０倍）で表示されているものとする。そして、ステップＳ１０１で、入力部１９を介してユーザからのデジタルズームの操作入力を受け付けると、ステップＳ１０２で表示制御部２３は、図７Ｂに示されるようにデジタルズームされた画像をスルー画として表示部１８に表示する。
【００７２】
次にステップＳ１０３で、入力部１９を介してユーザからの拡大領域指定モードへの移行の指示が入力されると、ステップＳ１０４で表示制御部２３は、図７Ｃに示されるように、スルー画の表示を非デジタルズーム状態（倍率１．０倍）にする。そして、ステップＳ１０５で、表示制御部２３はデジタルズーム領域枠２１０をスルー画上に重畳表示する。さらに、表示制御部２３はステップＳ１０６で、拡大領域指定枠２２０をスルー画上に重畳表示する。図７Ｃにおいては、デジタルズーム領域枠２１０は実線で示され、拡大領域指定枠２２０は破線で示されている。
【００７３】
次にステップＳ１０７で、入力部１９を介してユーザからの拡大領域の移動の指示を受け付けると、処理はステップＳ１０８に進み（ステップＳ１０７のＹｅｓ）、表示制御部２３はその指示に応じて拡大領域指定枠２２０を移動させる。
【００７４】
次に処理はステップＳ１１０に進む。なお、上述のステップＳ１０８で入力部１９に対してユーザによる拡大領域指定枠２２０の移動の入力がない場合にも同様に処理はステップＳ１１０に進む（ステップＳ１０８のＮｏ）。
【００７５】
次にステップＳ１０９で、入力部１９を介してユーザからの拡大領域指定枠２２０の位置が決定したことの操作入力を受け付けると、処理はステップＳ１１０に進む（ステップＳ１０９のＹｅｓ）。そしてステップＳ１１０で、表示制御部２３は、図７Ｄに示されるように、決定された拡大領域指定枠２２０内の画像をスルー画の大きさまで拡大して表示する。
【００７６】
次にステップＳ２０１で、表示制御部２３は、拡大表示されている拡大領域指定枠２２０内の画像上の端（図７Ｄにおいては左下）にデジタルズーム領域枠２１０と拡大領域指定枠２２０２２０との位置関係を示すインジケータ２３０を重畳表示する。このインジケータ２３０は、非デジタルズーム状態（倍率１．０倍）のスルー画の縮小画像２４０と、その縮小画像２４０上に重畳表示された、デジタルズーム領域枠２１０を示す第１の小枠２１１と、拡大領域指定枠２２０を示す第２の小枠２２１とから構成されている。図７Ｄにおいては、第１の小枠２１１は実線で示され、第２の小枠２２１は破線で示されている。表示制御部２３は、入力画像の縮小画像を生成して、インジケータ２３０の構成要素として拡大表示されている画像上に重畳表示する。
【００７７】
第１の実施の形態とは異なり、インジケータ２３０には、非デジタルズーム状態（倍率１．０倍）のスルー画の縮小画像２４０が含まれており、その縮小画像２４０上に第１の小枠２１１と第２の小枠２２１とが重畳表示されている。これにより、インジケータ２３０は、図７Ｃに示される非デジタルズーム状態（倍率１．０倍）のスルー画にデジタルズーム領域枠２１０と拡大領域指定枠２２０とが重畳表示された状態を再現していることとなる。
【００７８】
これによりユーザは、拡大表示画面においてもデジタルズームがどの領域をズームしているのかということを容易に把握することができる。さらに、拡大表示画面においても拡大領域がデジタルズーム領域のどこに位置しているかを容易に把握することができる。
【００７９】
インジケータ２３０表示後、処理はステップＳ２０２に進む。ステップＳ２０２で、入力部１９に対してユーザからのデジタルズームの対象となる領域の変更を指示する入力があった場合、処理はステップＳ２０３に進む（ステップＳ２０２のＹｅｓ）。そしてステップＳ２０３で、表示制御部２３は、図８Ａの状態から図８Ｂの状態に至るように、インジケータ２３０における第１の小枠２１１を変更されたデジタルズームの領域に合わせて変更する。これにより、スルー画として拡大領域が拡大されて表示されている状態であってもデジタルズームの領域がどのように変わったかを容易に把握することができる。よって、拡大表示画面であっても被写体全体の位置、構成、配置などを考慮しながら拡大領域を変更することができる。
【００８０】
ただし、スルー画は拡大領域を拡大表示している状態であるため、デジタルズームの対象となる領域が変更されてもスルー画の表示は変わらない。ただし、この状態でユーザがレリーズ操作行った場合には、変更後のデジタルズームの領域に基づいて撮像が行われる。
【００８１】
ステップＳ２０２で、入力部１９に対してユーザによるデジタルズームの領域の変更を指示する入力がなかった場合、処理はステップＳ２０４に進む（ステップＳ２０２のＮｏ）。次にステップＳ２０４で、入力部１９に対してユーザによる拡大領域の位置の変更を指示する入力があった場合、処理はステップＳ２０５に進む（ステップＳ２０４のＹｅｓ）。
【００８２】
そしてステップＳ２０５で、表示制御部２３は、ユーザの入力に応じて拡大領域を移動させる。拡大領域が移動した結果、図９に示されるように、スルー画に表示される被写体も変化する。
【００８３】
図９Ａは、図７Ｄに示される表示状態と同じものであり、スルー画が拡大表示画面である場合を示すものである。図９Ａの状態で、ユーザにより拡大領域の移動を指示する入力がなされると（図９においては左方向に移動指示）、表示制御部２３は、図９Ｂに示されるように、入力された移動量に従い、インジケータ２３０における第２の小枠２２１を左方向に移動させる。
【００８４】
さらに、図９Ｂに示されるように、ユーザにより入力された移動量の分だけスルー画が左方向に移動している。このように第２の実施の形態においては、インジケータ２３０に非デジタルズームの縮小画像２４０が含まれており、拡大領域の移動に伴い、その縮小画像２４０上で拡大領域を示す第２の枠が移動する。これによりユーザは、スルー画として拡大領域が拡大表示されている状態であっても、被写体全体の位置、構成、配置などを考慮しながら拡大領域を変更することができる。
【００８５】
なお、図９においては、拡大領域を左方向に移動させたが、これはあくまで説明のための例示であり、上下左右斜めあらゆる方向に移動可能である。
【００８６】
また、ステップＳ２０２およびステップＳ２０３のデジタルズームに関する処理と、ステップＳ２０４とステップＳ２０５の拡大領域に関する処理の順序は図７のフローチャートの順序に限られない。先に拡大領域に関する処理を行うようにしてもよいし、両処理を並列的に同時に行なってもよい。
【００８７】
次に処理はステップＳ２０６に進み、入力部１９に対して拡大領域決定の入力がなされると、表示制御部２３が搭載された撮像装置において撮像が行われて撮像済画像が取得される。
【００８８】
なお、拡大領域決定入力後から撮像前までに、スルー画をデジタルズーム表示状態を戻し、ユーザがスルー画においてデジタルズームの状態を確認できるようにしてもよいのは第１の実施の形態と同様である。この場合、ユーザはデジタルズーム状態を確認した後シャッターを押下して撮像を行う。
【００８９】
なお、ステップＳ２０６で入力部１９に対して拡大表示終了指示が入力されない場合、処理はステップＳ２０２に進む（ステップＳ２０６のＮｏ）。そして、入力部１９を介して拡大表示終了を指示する入力がされるまで、ステップＳ２０２からステップＳ２０６までの処理が繰り返される。入力部１９を介してユーザから拡大表示終了指示を受け付けると、表示制御部２３による処理は終了となる（ステップＳ２０６のＹｅｓ）。
【００９０】
このように、本技術の第２の実施の形態においては、拡大表示画面において、非デジタルズーム状態の画像の縮小画像２４０が重畳表示されるので、ピント合わせを行いながら同時に、被写体全体についても把握することができる。また、拡大表示画面においてもデジタルズームの対象となる領域の変更が可能となっている。これにより、ピント位置を固定した状態で、撮像可能な画角を変更し、画像の構図を変更することなどが可能となる。
【００９１】
ピント用拡大領域指定画面と拡大表示画面でデジタルズームの領域を変更可能とすることで、スルー画上でピントを合わせた状態で、デジタルズームの領域の変更による画角調整することができる。これにより、マクロ撮像時等の構図選定等で、ユーザの撮像の幅が広がることが期待できる。
【００９２】
なお、上述の表示制御装置の処理機能はコンピュータによって実現することができる。その場合、この表示制御装置が有すべき機能の処理内容を記述したプログラムが提供される。そして、そのプログラムをコンピュータで実行することにより、上述の処理機能がコンピュータ上で実現される。処理内容を記述したプログラムは、光ディスク、半導体メモリなどのコンピュータで読み取り可能な記録媒体に記録しておくことができる。
【００９３】
プログラムを流通させる場合には、例えば、そのプログラムが記録された光ディスクや半導体メモリなどの可搬型記録媒体が提供または販売される。また、プログラムをサーバに格納しておき、ネットワークを介してそのプログラムを提供することもできる。
【００９４】
プログラムを実行するコンピュータは、例えば、可搬型記録媒体に記録されたプログラムまたはサーバから転送されたプログラムを自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバからプログラムが転送されるごとに、逐次、受け取ったプログラムに従った処理を実行することもできる。
【００９５】
＜３．変形例＞
以上、本技術の一実施の形態について具体的に説明したが、本技術は上述の実施形態に限定されるものではなく、本技術の技術的思想に基づく各種の変形が可能である。
【００９６】
上述の実施の形態では、表示制御装置１をデジタルスチルカメラなどの撮像装置に適用する場合について説明したが、それ以外の撮像装置に対しても本技術を適用することができる。例えば、デジタルビデオカメラや、カメラ機能を備える携帯電話機、カメラ機能を備える携帯ゲーム機などにも適用可能である。
【００９７】
また、表示制御装置１は、ネットワークカメラと、ネットワークカメラからの画像をネットワークを介して受信するパーソナルコンピュータなどの受信端末とからなるいわゆるネットワークカメラシステムに適用することも可能である。この場合、受信端末側が表示制御装置１の機能を備え、領域特定処理の結果をネットワークカメラに送信するようにしてもよい。また、ネットワークカメラが表示制御装置１の機能を備え、指定領域としての被写体を追尾しながら取得した画像を受信端末に送信するようにしてもよい。
【００９８】
なお、本技術は以下のような構成も取ることができる。
【００９９】
（１）入力画像に、該入力画像中におけるデジタルズームの対象となる領域を示す第１の枠と、前記入力画像中で拡大の対象となる領域を示す第２の枠を重畳表示するように表示制御を行う
表示制御装置。
【０１００】
（２）前記第１の枠及び前記第２の枠を重畳表示している状態で、前記拡大の対象となる領域を指定するための指示を受け付ける
前記（１）に記載の表示制御装置。
【０１０１】
（３）前記拡大の対象となる領域を指定するための指示を受け付けると、前記入力画像中の前記拡大の対象となる領域を拡大画像として表示する
前記（２）に記載の表示制御装置。
【０１０２】
（４）前記拡大画像を表示している状態で、前記デジタルズームの対象となる領域と前記拡大の対象となる領域との位置関係を表すインジケータを表示するように制御する
前記（３）に記載の表示制御装置。
【０１０３】
（５）前記インジケータは、前記第１の枠に対応する第１の小枠と、前記第２の枠に対応する第２の小枠とから構成されている
前記（４）に記載の表示制御装置。
【０１０４】
（６）前記入力画像を縮小した縮小画像を生成し、前記拡大画像に前記縮小画像を重畳表示し、さらに前記縮小画像に前記インジケータを重畳表示するように制御する
前記（４）または（５）に記載の表示制御装置。
【０１０５】
（７）前記拡大画像を表示した状態で、前記デジタルズームの対象となる領域を指定するための指示を受け付ける
前記（３）から（６）のいずれかに記載の表示制御装置。
【０１０６】
（８）前記第１の枠と前記第２の枠を重畳表示している状態で、前記デジタルズームの対象となる領域を指定するための指示を受け付ける
前記（１）から（７）のいずれかに記載の表示制御装置。
【０１０７】
（９）前記デジタルズームした画像を表示している状態で、前記拡大をするための指示を検出すると、前記第１の枠及び前記第２の枠を重畳表示するように制御する
前記（１）から（８）のいずれかに記載の表示制御装置。
【０１０８】
（１０）前記拡大は、フォーカス確認のための拡大である
前記（１）から（９）のいずれかに表示制御装置。
【０１０９】
（１１）被写体を撮像する撮像部をさらに有する
前記（１）から（１０）のいずれかに記載の表示制御装置。
【０１１０】
（１２）入力画像に、該入力画像中におけるデジタルズームの対象となる領域を示す第１の枠と、前記入力画像中で拡大の対象となる領域を示す第２の枠を重畳表示するように表示制御を行う
表示制御方法。
【０１１１】
（１３）入力画像に、該入力画像中におけるデジタルズームの対象となる領域を示す第１の枠と、前記入力画像中で拡大の対象となる領域を示す第２の枠を重畳表示するように表示制御を行う
表示制御方法をコンピュータに実行させる画像処理プログラムが記録されたコンピュータにより読み取り可能な記録媒体。
【符号の説明】
【０１１２】
１・・・表示制御装置
２３・・表示制御部
【図１】
0005957948.tif 000002
【図２】
0005957948.tif 000003
【図３】
0005957948.tif 000004
【図６】
0005957948.tif 000005
【図４】
0005957948.tif 000006
【図５】
0005957948.tif 000007
【図７】
0005957948.tif 000008
【図８】
0005957948.tif 000009
【図９】
0005957948.tif 000010